(57)【要約】【課題】繊維機械に関し、設定内容を容易に比較可能とする。【解決手段】機台制御装置１１は、取得部３５と、比較部３６と、タッチスクリーン１３と、を備えている。取得部３５は、糸処理に関する複数の設定項目の各設定内容をひとまとめにして名称（ロット名）を付けた設定セットを取得する。比較部３６は、取得部３５が取得した複数の設定セットの設定内容同士を設定項目ごとに比較する。タッチスクリーン１３は、比較部３６が比較した結果を報知する。【選択図】図３
2015078454.tif 000002
【特許請求の範囲】
【請求項１】
糸処理に関する複数の設定項目の各設定内容をひとまとめにして名称を付けた設定セットを取得する取得部と、
前記取得部が取得した複数の設定セットの設定内容同士を設定項目ごとに比較する比較部と、
前記比較部が比較した結果を報知する報知部と、
を備えることを特徴とする、繊維機械の設定比較装置。
【請求項２】
請求項１に記載の繊維機械の設定比較装置であって、
前記報知部は、前記比較部が比較した結果を画面に表示する表示部を有している
ことを特徴とする、繊維機械の設定比較装置。
【請求項３】
請求項２に記載の繊維機械の設定比較装置であって、
前記比較部が比較した結果、設定内容が一致していない設定項目があった場合、前記表示部は、前記一致していない設定項目を表示することを特徴とする、繊維機械の設定比較装置。
【請求項４】
請求項３に記載の繊維機械の設定比較装置であって、
前記比較部が比較した結果、設定内容が一致していない設定項目が複数あった場合、前記表示部は、前記一致していない複数の設定項目を一覧表示することを特徴とする、繊維機械の設定比較装置。
【請求項５】
請求項１から４までの何れか一項に記載の繊維機械の設定比較装置であって、
前記報知部は、前記比較部が比較した結果を音声で報知する音声出力部を有していることを特徴とする、繊維機械の設定比較装置。
【請求項６】
請求項１から５までの何れか一項に記載の繊維機械の設定比較装置であって、
前記比較部が比較する前記複数の設定セットを指定する操作が可能に構成された操作入力部を更に備えることを特徴とする、繊維機械の設定比較装置。
【請求項７】
請求項６に記載の繊維機械の設定比較装置であって、
前記操作入力部の操作を行う操作者のアクセス権限を判別するアクセス権限判別部を備え、
前記報知部は、前記比較部が比較した結果を、前記操作者のアクセス権限に応じて選択的に報知することを特徴とする、繊維機械の設定比較装置。
【請求項８】
請求項１から７までの何れか一項に記載の繊維機械の設定比較装置であって、
前記繊維機械は、少なくとも１つの機台を備え、
前記比較部は、所定の機台において、異なる名称が付された複数の設定セットの設定内容同士を設定項目ごとに比較することを特徴とする、繊維機械の設定比較装置。
【請求項９】
請求項１から７までの何れか一項に記載の繊維機械の設定比較装置であって、
前記繊維機械は、複数の機台を備え、
前記比較部は、異なる機台間で、前記設定セットの設定内容同士を設定項目ごとに比較することを特徴とする、繊維機械の設定比較装置。
【請求項１０】
請求項９に記載の繊維機械の設定比較装置であって、
前記比較部は、異なる機台間で、同一の名称が付された複数の設定セットの設定内容同士を設定項目ごとに比較することを特徴とする、繊維機械の設定比較装置。
【請求項１１】
請求項１から１０までの何れか一項に記載の繊維機械の設定比較装置であって、
前記繊維機械は、複数の機台を備え、
各機台は互いに通信可能に構成され、
前記報知部は、各機台に設けられていることを特徴とする、繊維機械の設定比較装置。
【請求項１２】
請求項１から１０までの何れか一項に記載の繊維機械の設定比較装置であって、
前記繊維機械は、複数の機台と、各機台と通信可能に構成された統括制御装置と、を備え、
前記報知部は、前記統括制御装置に設けられていることを特徴とする、繊維機械の設定比較装置。
【請求項１３】
請求項１から１０までの何れか一項に記載の繊維機械の設定比較装置と、
並んで設置された複数の糸巻取ユニットを有する、少なくとも１つの機台と、
を備えることを特徴とする、自動糸巻取機。
【請求項１４】
請求項１から１０までの何れか一項に記載の繊維機械の設定比較装置と、
並んで設置された複数の紡績ユニットを有する、少なくとも１つの機台と、
を備えることを特徴とする、紡績機。
【請求項１５】
糸処理に関する複数の設定項目の各設定内容をひとまとめにして名称を付けた設定セットを取得する取得工程と、
前記取得工程で取得した複数の設定セットの設定内容同士を設定項目ごとに比較する比較工程と、
前記比較工程での前記比較の結果を報知する報知工程と、
を含むことを特徴とする、繊維機械の設定比較方法。
【請求項１６】
繊維機械の表示装置であって、
互いに通信可能に構成された複数の機台毎に設けられ、糸処理に関する複数の設定項目の各設定内容をひとまとめにした設定セットの前記設定内容を表示可能な表示部と、
異なる機台間で、任意の設定セットの設定内容同士が互いに一致しているか否かを設定項目ごとに比較する比較部と、
を備え、
前記表示部は、前記比較部が比較した結果を表示することを特徴とする、繊維機械の表示装置。
【発明の詳細な説明】
【技術分野】
【０００１】
本発明は、繊維機械において、糸処理に関する設定を管理するための構成に関する。
【背景技術】
【０００２】
紡績機や自動ワインダなどの繊維機械は、通常、多数の糸処理ユニットを並べて備えた機台を備えている。各糸処理ユニットは、糸を巻取ボビンに巻き取って、パッケージ（糸をボビンに巻き取った状態のもの）を作成するように構成されている。また、前記機台は、前記糸処理ユニットを集中的に管理・制御するための機台制御装置を備えている。繊維機械のオペレータは、機台制御装置を適宜操作することにより、糸処理ユニットにおいて糸を巻き取る際の各種の設定項目を設定できる。各設定項目を適切に設定することにより、所望のパッケージを生産することができる。このような繊維機械は、例えば特許文献１に記載されている。
【０００３】
特許文献１は、異なる機台間で、設定ファイルを転送できるようにした構成を開示している。さて、オペレータは、複数の設定ファイル同士で、設定内容の相違点を確認したい場合がある。このような場合、従来、オペレータは、比較したい複数の設定ファイルの各設定項目の設定内容を表示画面（ディスプレイ）に並べて表示させ、相違点を目視で確認していた。なお、設定内容を一覧表示する構成は、例えば特許文献２に記載されている。
【先行技術文献】
【特許文献】
【０００４】
【特許文献１】特開２００６−１４３３３８号公報
【特許文献２】特開２００２−８７７０３号公報
【発明の概要】
【発明が解決しようとする課題】
【０００５】
しかしながら、設定項目は多数（例えば１００以上）用意されるようになっており、画面に並べて表示された設定内容をオペレータが見比べて相違点を確認する手法は、手間がかかるだけでなく、オペレータが相違点を見落すおそれもある。
【０００６】
本発明は以上の事情に鑑みてされたものであり、その目的は、設定内容を容易に比較可能な繊維機械の設定比較装置、設定比較方法及び表示装置、並びに、自動糸巻取機及び紡績機を提供することにある。
【課題を解決するための手段及び効果】
【０００７】
本発明の解決しようとする課題は以上の如くであり、次にこの課題を解決するための手段とその効果を説明する。
【０００８】
本願発明の第１の観点によれば、繊維機械の設定比較装置が以下のとおり提供される。即ち、この設定比較装置は、取得部と、比較部と、報知部と、を備える。前記取得部は、糸処理に関する複数の設定項目の各設定内容をひとまとめにして名称を付けた設定セットを取得する。前記比較部は、前記取得部が取得した複数の設定セットの設定内容同士を設定項目ごとに比較する。前記報知部は、前記比較部が比較した結果を報知する。
【０００９】
以上の構成によれば、比較部が各設定内容同士を比較して、報知部がその結果を報知するので、オペレータは設定内容を比較する負担が軽減され、設定内容の一致・不一致を容易に確認することができる。なお、本願明細書でいう設定セットの「名称」とは、文字列に限らず、記号、数値、その他の識別子など、設定セットに対して付与される何らかの情報であれば良い。
【００１０】
上記の繊維機械の設定比較装置において、前記報知部は、前記比較部が比較した結果を画面に表示する表示部を有していることが好ましい。
【００１１】
これにより、オペレータは、比較結果を視認できる。
【００１２】
上記の繊維機械の設定比較装置において、前記比較部が比較した結果、設定内容が一致していない設定項目があった場合、前記表示部は、前記一致していない設定項目を表示することが好ましい。
【００１３】
これにより、オペレータは、設定内容が一致していない設定項目を容易に把握できる。
【００１４】
上記の繊維機械の設定比較装置において、前記比較部が比較した結果、設定内容が一致していない設定項目が複数あった場合、前記表示部は、前記一致していない複数の設定項目を一覧表示することが好ましい。
【００１５】
これにより、オペレータは、設定内容が一致していない複数の設定項目を容易に把握できる。
【００１６】
上記の繊維機械の設定比較装置において、前記報知部は、前記比較部が比較した結果を音声で報知する音声出力部を有していても良い。
【００１７】
これにより、オペレータは、比較結果を音声で確認できる。
【００１８】
上記の繊維機械の設定比較装置であって、前記比較部が比較する前記設定セットを指定する操作が可能に構成された操作入力部を更に備えることが好ましい。
【００１９】
オペレータは、操作入力部を操作することにより、比較したい設定セットを自由に指定できる。
【００２０】
上記の繊維機械の設定比較装置は、以下のように構成されることが好ましい。即ち、当該設定比較装置は、前記操作入力部の操作を行う操作者（オペレータ）のアクセス権限を判別するアクセス権限判別部を備える。前記報知部は、前記比較部が比較した結果を、前記操作者のアクセス権限に応じて選択的に報知する。
【００２１】
これにより、オペレータのアクセス権限に応じて、当該オペレータに必要な情報のみを報知することができる。
【００２２】
上記の繊維機械の設定比較装置は、以下のように構成することができる。即ち、前記繊維機械は、少なくとも１つの機台を備える。前記比較部は、所定の機台において、異なる名称が付された複数の設定セットの設定内容同士を設定項目ごとに比較する。
【００２３】
このように、同一の機台において、設定セット同士を比較できる。
【００２４】
上記の繊維機械の設定比較装置は、以下のように構成することもできる。即ち、前記繊維機械は、複数の機台を備える。前記比較部は、異なる機台間で、前記設定セットの設定内容同士を設定項目ごとに比較する。
【００２５】
このように、異なる機台間で設定セットを比較することもできる。
【００２６】
上記の繊維機械の設定比較装置において、前記比較部は、異なる機台間で、同一の名称が付された複数の設定セットの設定内容同士を設定項目ごとに比較することが好ましい。
【００２７】
異なる機台間で、同一の名称が付いた複数の設定セット同士を比較するので、同一の名称が付いているにもかかわらず設定内容が異なる場合を確実に検出できる。これにより、機台間で設定内容が異なっていることに気付かずに意図とは異なるパッケージが作成されてしまうことを防止できる。
【００２８】
上記の繊維機械の設定比較装置は、以下のように構成されることが好ましい。即ち、前記繊維機械は、複数の機台を備え、各機台は互いに通信可能に構成される。前記報知部は、各機台に設けられている。
【００２９】
このように、報知部を機台ごとに設けることにより、何れの機台においても比較結果を確認できる。
【００３０】
上記の繊維機械の設定比較装置は、以下のように構成することもできる。即ち、前記繊維機械は、複数の機台と、各機台と通信可能に構成された統括制御装置と、を備える。前記報知部は、前記統括制御装置に設けられている。
【００３１】
これにより、比較結果を統括制御装置において確認できる。
【００３２】
本願発明の第２の観点によれば、上記の繊維機械の設定比較装置と、並んで設置された複数の糸巻取ユニットを有する少なくとも１つの機台と、を備える自動糸巻取機が提供される。
【００３３】
これにより、自動糸巻取機において、設定内容を比較し、その比較結果を把握できる。
【００３４】
本願発明の第３の観点によれば、上記の繊維機械の設定比較装置と、並んで設置された複数の紡績ユニットを有する少なくとも１つの機台と、を備える紡績機が提供される。
【００３５】
これにより、紡績機において、設定内容を比較し、その比較結果を把握できる。
【００３６】
本願発明の第４の観点によれば、繊維機械の設定比較方法が以下のとおり提供される。即ち、この設定比較方法は、取得工程と、比較工程と、報知工程と、を含む。前記取得工程では、糸処理に関する複数の設定項目の各設定内容をひとまとめにして名称を付けた設定セットを取得する。前記比較工程では、前記取得工程で取得した複数の設定セットの設定内容同士を設定項目ごとに比較する。前記報知工程では、前記比較工程での前記比較の結果を報知する。
【００３７】
以上の方法によれば、比較工程で各設定内容同士を比較して、報知工程でその結果を報知するので、オペレータは設定内容を比較する負担が軽減され、設定内容の一致・不一致を容易に確認することができる。
【００３８】
本願発明の第５の観点によれば、繊維機械の表示装置の以下の構成が提供される。即ち、この表示装置は、表示部と、比較部と、を備える。前記表示部は、互いに通信可能に構成された複数の機台毎に設けられ、糸処理に関する複数の設定項目の各設定内容をひとまとめにした設定セットの前記設定内容を表示可能である。前記比較部は、異なる機台間で、任意の設定セットの設定内容同士が互いに一致しているか否かを設定項目ごとに比較する。そして、前記表示部は、前記比較部が比較した結果を表示する。
【００３９】
比較部が設定セットの設定内容を比較し、設定内容に不一致がある場合には、表示部にその結果を表示するので、オペレータは設定内容を比較する負担が軽減され、設定内容の一致・不一致を容易に確認することができる。
【図面の簡単な説明】
【００４０】
【図１】本発明の一実施形態に係る自動ワインダの全体的な構成を示す図。
【図２】自動ワインダの機台を示す図。
【図３】機台制御装置の機能を示すブロック図。
【図４】設定セット比較画面を例示する図。
【図５】全ての設定項目が一致していた場合の報知例を示す図。
【図６】不一致の設定項目があった場合の報知例を示す図。
【図７】第４実施形態の自動ワインダの構成を示す図。
【発明を実施するための形態】
【００４１】
次に、本発明の好適な実施形態について図面を参照して説明する。図１は、本発明の一実施形態に係る繊維機械としての自動ワインダ（自動糸巻取機）１０の概略的な構成を示している。
【００４２】
図１に示すように、本実施形態の自動ワインダ１０は、複数の機台６０を備えている。各機台６０は略同一の構成となっているので、１つの機台を代表させて、その構成を図２に示す。図２に示すように、機台６０は、機台制御装置１１と、並べて配置された複数の糸巻取ユニット（糸処理ユニット）１６，１６……と、給糸ボビン供給装置５２と、自動玉揚装置５１と、を備えている。
【００４３】
それぞれの糸巻取ユニット１６は、給糸ボビン２１から解舒された糸２０を巻取部４１において綾振りしながら巻取ボビンに巻き取り、パッケージ３０を作成できるように構成されている。また、糸巻取ユニット１６は、走行する糸２０の太さ等を監視するクリアラ（糸品質測定器）４２を備え、クリアラ４２が糸２０の欠陥を検出したときはそれを除去できるように構成されている。
【００４４】
給糸ボビン供給装置５２は、各糸巻取ユニット１６，１６……に対し、給糸ボビン２１を図略の供給経路に沿って搬送して供給するように構成されている。自動玉揚装置５１は、糸巻取ユニット１６においてパッケージ３０が満巻（規定の長さの糸が巻き取られた状態）となった際に、当該糸巻取ユニット１６の位置まで走行して満巻パッケージを回収するとともに、新しい空の巻取ボビンを供給することができるように構成されている。
【００４５】
機台制御装置１１は、並べて配置された糸巻取ユニット１６の端部（図２では左側端部）に配置されている。この機台制御装置１１は、図３のブロック図に示すように、タッチスクリーン１３と、制御部１４と、外部接続部１９と、記憶部１８と、を備えている。
【００４６】
制御部１４は、ＣＰＵ、ＲＯＭ、ＲＡＭ等のハードウェアと、前記ＲＯＭ等に記憶されたプログラム等のソフトウェアと、から成るコンピュータからなり、前記ハードウェアとソフトウェアが協働することで、機台６０の各構成（各糸巻取ユニット１６、自動玉揚装置５１、給糸ボビン供給装置５２など）の動作を管理及び制御するように構成されている。
【００４７】
タッチスクリーン１３は、表示画面をタッチすることにより入力操作を行うことができる公知の構成である。オペレータは、タッチスクリーン１３の画面に触れることにより、各種の操作を行うことができる。このように、タッチスクリーン１３は、操作入力部としての機能を有する。また、制御部１４は、タッチスクリーン１３の画面に、各種の情報を表示させることができる。このように、タッチスクリーン１３は、表示部としての機能も有している。なお、機台制御装置１１は、タッチスクリーン１３に各種の情報を表示することができるので、当該機台制御装置１１自体を「表示装置」と呼ぶこともできる。
【００４８】
オペレータは、機台制御装置１１（のタッチスクリーン１３）を操作することで、様々な操作を行うことができる。ただし、全ての操作を無条件でオペレータに許可してしまうと、セキュリティ上の観点から好ましくない場合がある。そこで本実施形態の自動ワインダ１０では、各オペレータに対してアクセス権限を設定しており、機台制御装置１１においてオペレータが可能な操作をアクセス権限に応じて異ならせる構成としている。なお本実施形態では、各オペレータに対して、管理者、保守者、一般作業者、の３段階のアクセス権限の何れかが付与されているものとする。
【００４９】
機台制御装置１１の制御部１４は、アクセス権限判別部１７としての機能を有している。アクセス権限判別部１７は、機台制御装置１１のタッチスクリーン１３を操作するオペレータのアクセス権限を判別するように構成されている。オペレータのアクセス権限を判別する方法は特に限定されないが、例えば本実施形態のアクセス権限判別部１７は、オペレータに対してパスワードの入力を求めるパスワード入力画面（図略）をタッチスクリーン１３に表示するように構成されている。パスワード入力画面が表示された場合、オペレータは、タッチスクリーン１３を操作することによってパスワードを入力する。アクセス権限判別部１７は、入力されたパスワードに基づいて、そのオペレータのアクセス権限が３段階（管理者、保守者、及び一般作業者）の何れであるかを判別する。
【００５０】
機台制御装置１１の制御部１４は、アクセス権限判別部１７が判別したオペレータのアクセス権限に応じて、当該オペレータに対して許可する操作を異ならせる。例えば、オペレータのアクセス権限が「管理者」と判別された場合、当該オペレータには、機台制御装置１１において全ての操作を行う権限が与えられる。オペレータのアクセス権限が「保守者」と判別された場合、当該オペレータには、機台制御装置１１において重要な設定を変更する権限は与えられないが、その他の操作を行う権限は与えられる。オペレータのアクセス権限が「一般作業者」と判別された場合、当該オペレータには、機台制御装置１１において設定を変更する権限が与えられない。つまり、「一般作業者」は、機台制御装置１１において、既に設定されている設定内容を閲覧する権限のみを有する。
【００５１】
なお、説明を簡略化するため、以下の説明では、特に断わらない限り、オペレータが「管理者」であるという前提（つまり、オペレータは全ての操作が可能であるという前提）で説明する。
【００５２】
前述のように、機台制御装置１１は、記憶部１８を有している。記憶部１８は、糸処理に関する設定項目の設定内容を記憶するように構成されている。ここで、糸処理に関する設定項目とは、所望のパッケージ３０を作成するために機台制御装置１１に対して設定される設定項目を言う。自動ワインダに関してこのような設定項目の一例を挙げれば、糸の走行速度（糸速）、パッケージ３０の直径などである。オペレータは、機台制御装置１１のタッチスクリーン１３を適宜操作することにより、各設定項目を設定できる。
【００５３】
記憶部１８は、設定された各設定項目の設定内容をひとまとめにして、名称を付して記憶できるように構成されている。このように、複数の設定項目の設定内容をひとまとめにして記憶したものを、本明細書では「設定セット」と呼ぶ。また、設定セットに付された名称のことを、「ロット名」と呼ぶ。
【００５４】
制御部１４は、記憶部１８に記憶されている設定セットの設定内容に基づいて、機台６０の各構成（各糸巻取ユニット１６、自動玉揚装置５１、給糸ボビン供給装置５２など）を制御する。これにより、機台６０は、オペレータが設定した設定内容に基づいてパッケージ３０を作成できる。
【００５５】
なお、記憶部１８には、複数の設定セットを記憶できるように構成されている。オペレータは、機台制御装置１１を適宜操作することにより、記憶部１８に記憶された複数の設定セットのうち何れの設定セットを用いてパッケージを生産するかを、機台制御装置１１に対して指定できる。当該機台制御装置１１の制御部１４は、指定された設定セットの設定内容に基づいて、機台６０の各構成を制御する。
【００５６】
機台制御装置１１は、オペレータに対して、設定セットの各設定項目の設定内容を変更／閲覧するための手段を提供している。例えば、オペレータは、機台制御装置１１のタッチスクリーン１３を適宜操作することにより、記憶部１８に記憶されている設定セットの各設定項目の設定内容をタッチスクリーン１３の画面に表示させることができる。これにより、オペレータは、各設定セットの設定内容を確認できる。また、オペレータは、タッチスクリーン１３を適宜操作することにより、設定セットの各設定項目の設定内容を変更できる。また、オペレータは、機台制御装置１１のタッチスクリーン１３を適宜操作することにより、記憶部１８に記憶されている既存の設定セットをコピー（複製）して、新しい設定セットを作成することもできる。
【００５７】
外部接続部１９は、ＬＡＮ（ローカル・エリア・ネットワーク）２２などのネットワークに接続可能に構成されている。これにより、図１に示すように、各機台６０の機台制御装置１１同士を、ＬＡＮ２２で相互に接続できる。制御部１４は、ＬＡＮ２２に接続された他の機台６０の機台制御装置１１との間で、外部接続部１９を介してデータの送受信が可能である。例えば、機台制御装置１１は、ＬＡＮ２２及び外部接続部１９を介した通信により、他の機台の機台制御装置１１の記憶部１８に記憶されている設定セットを、自身の（ローカルの）記憶部１８にコピーすることができる。なお、本実施形態の自動ワインダ１０において構成されているＬＡＮ２２は、いわゆるピア・ツー・ピア型のネットワークとなっており、統括制御装置（ホストコンピュータ）を持たない構成となっている。また、ＬＡＮ２２は、有線ＬＡＮ及び無線ＬＡＮの何れであっても良い。
【００５８】
続いて、本実施形態の特徴的な構成について説明する。
【００５９】
上記のように、本実施形態の機台制御装置１１においては、他の機台６０の記憶部１８に記憶されている設定セットを、自身のローカルの記憶部１８にコピーできる。また、機台制御装置１１は、自身のローカルの記憶部１８に記憶されている既存の設定セットをコピーすることで、新しい設定セットを作成できる。また、設定セットの設定内容は、オペレータが適宜変更できる。このため、オペレータは、変更を加えた設定セットの設定内容と、コピー元の（オリジナルの状態の）設定セットの設定内容と、を比較して、両者の相違点を確認したい場合がある。
【００６０】
この場合、オペレータは、設定セット間の相違点を目視で確認することも可能である。具体的には、比較する２つの設定セットの設定内容をタッチスクリーン１３の画面に表示させ、当該２つの設定セットの間で設定内容が一致しているか否かを設定項目ごとに目視で確認する。しかしながら、設定内容を設定項目ごとに目視で確認していくことはオペレータにとって負担が大きいうえ、設定内容が一致していない設定項目をオペレータが見落してしまう可能性もある。
【００６１】
そこで本実施形態の自動ワインダ１０においては、機台制御装置１１が、設定セット同士の比較を自動的に行うことができるように構成されている。以下、具体的に説明する。
【００６２】
本実施形態の自動ワインダ１０においては、オペレータが機台制御装置１１を操作することにより、比較される複数の設定セットを指定できるように構成している。具体的には、機台制御装置１１の制御部１４は、図４に示すような「設定セット比較画面」を、タッチスクリーン１３の画面に表示する。オペレータは、設定セット比較画面が表示されたタッチスクリーン１３を適宜操作することにより、比較される複数の設定セットを指定する。
【００６３】
図４に示した設定セット比較画面は一例であり、これに限定されるわけではない。しかしながら、以下では図４に即して説明する。即ち、図４の設定セット比較画面は、第１一覧表示部３１と、第２一覧表示部３２と、比較ボタン（比較指示部）３３と、を主な構成要素として有している。
【００６４】
第１一覧表示部３１と第２一覧表示部３２には、それぞれ、機台の記憶部１８に記憶されている１つ又は複数の設定セットのロット名を一覧表示できるように構成されている。オペレータは、一覧表示された設定セットのロット名の中から、比較される設定セットのロット名を指定することができる。
【００６５】
なお、本実施形態において、第１一覧表示部３１には、機台制御装置１１の（ローカルの）記憶部１８に記憶されている設定セットのロット名が表示される。
【００６６】
一方、第２一覧表示部３２は、機台指定部３４を備えている。機台指定部３４は、自動ワインダ１０を構成する複数の機台６０（図１参照）のうちの何れか１つを指定できるように構成されている。オペレータは、機台制御装置１１を適宜操作することにより、何れか１つの機台を機台指定部３４で指定する。なお、図４では、機台番号が「１２３」番の機台が機台指定部３４で指定されている状態を示している。制御部１４は、機台指定部３４で指定された機台（図４の場合は１２３番の機台）とのあいだで外部接続部１９を介した通信を行うことにより、当該機台の記憶部１８に記憶されている設定セットのロット名を取得し、第２一覧表示部３２に一覧表示する。
【００６７】
以上のように、第１一覧表示部３１には、その機台の（ローカルの）記憶部１８に記憶されている設定セットのロット名が一覧表示され、第２一覧表示部３２には、オペレータが指定した任意の機台の記憶部１８に記憶されている設定セットのロット名が一覧表示される。オペレータは、適宜の操作を行うことにより、第１一覧表示部３１に一覧表示された設定セットの中から何れか１つを選択できる。なお、図４では、第１一覧表示部３１において、「Ｌｏｔ１」というロット名の設定セットが選択された状態を示している。また、オペレータは、適宜の操作を行うことにより、第２一覧表示部３２に一覧表示された設定セットの中から何れか１つを選択できる。なお、図４では、第２一覧表示部３２において、「Ｌｏｔ２」というロット名の設定セットが選択された状態を示している。この図４では、第１一覧表示部３１と第２一覧表示部３２とで異なるロット名の設定セットが選択されているが、同一のロット名の設定セットを選択することももちろん可能である。すなわち、異なる機台間で同一のロット名が付された設定セット同士が比較されるように指定しても良いし、異なるロット名が付された設定セット同士が比較されるように指定しても良い。
【００６８】
比較ボタン３３は、第１一覧表示部３１及び第２一覧表示部３２で選択された設定セット同士を比較するように指示するためのボタンである。オペレータは、第１一覧表示部３１及び第２一覧表示部３２のそれぞれにおいて設定セットを選択した状態で、比較ボタン３３を操作することにより、選択した設定セット同士を比較するように機台制御装置１１に対して指示することができる。
【００６９】
続いて、比較ボタン３３が操作されたときの制御部１４の動作について説明する。本実施形態の制御部１４は、取得部３５と、比較部３６と、としての機能を有している。
【００７０】
取得部３５は、比較部３６で比較される設定セットを取得するように構成されている。例えば本実施形態の場合、比較される設定セットは、設定セット比較画面（図４）においてオペレータによって選択されている。従って、本実施形態の取得部３５は、設定セット比較画面においてオペレータによって選択された設定セットを取得する。
【００７１】
例えば図４の場合、第１一覧表示部３１では「Ｌｏｔ１」というロット名の設定セットが選択されているので、取得部３５は、自身の（ローカルの）記憶部１８から、「Ｌｏｔ１」というロット名の設定セットを取得する（第１の取得工程）。また例えば図４の場合、機台指定部３４において「１２３」番の機台が指定され、第２一覧表示部３２では「Ｌｏｔ２」というロット名の設定セットが選択されているので、取得部は、「１２３」番の機台と通信することにより、当該機台の記憶部１８に記憶されている「Ｌｏｔ２」というロット名の設定セットを取得する（第２の取得工程）。
【００７２】
比較部３６は、取得部３５が取得した２つの設定セットの設定内容同士を、設定項目ごとに比較する（比較工程）。
【００７３】
以上のように、本実施形態の構成によれば、機台６０の（ローカルの）記憶部１８に記憶されている任意の設定セットと、任意の他の機台の記憶部１８に記憶されている任意の設定セットと、を比較部３６によって比較することができる。このように、本実施形態の比較部３６は、異なる機台間で、設定セットの設定内容同士を設定項目ごとに比較する。
【００７４】
機台制御装置１１の制御部１４は、比較部３６による比較の結果（以下、単に比較結果と呼ぶ）を、オペレータに報知するように構成されている（報知工程）。比較結果を報知する方法は特に限定されないが、本実施形態では、当該比較結果を、タッチスクリーン１３の画面に表示するように構成されている。従って、本実施形態のタッチスクリーン１３は、報知部であると言うことができる。このように、比較結果をタッチスクリーン１３に表示することで、オペレータは、比較結果を視認することができる。
【００７５】
次に、比較結果の報知について、以下に具体的に説明する。
【００７６】
比較部３６による比較の結果、全ての設定項目の設定内容が一致していた場合、制御部１４は、設定内容が一致していたことをオペレータに報知する。例えば図５のように、「全ての設定項目が一致しています」というメッセージを、タッチスクリーン１３の画面に表示する。これにより、比較した設定セットの設定内容が一致していることを確認できる。
【００７７】
一方、比較部３６による比較の結果、１つ以上の設定項目の設定内容が一致していない場合、制御部１４は、不一致の設定内容が存在することをオペレータに報知する。例えば図６のように、「一致しない設定項目が見つかりました」というメッセージを、タッチスクリーン１３の画面に表示する。これにより、オペレータは、比較した設定セットの設定内容が一致していないことを確認できる。
【００７８】
更に、本実施形態では、設定内容が不一致の設定項目をオペレータに報知するように構成されている。具体的には、本実施形態の場合、設定内容が不一致の設定項目名を、タッチスクリーン１３に表示する。なお、設定内容が不一致の設定項目が複数存在する場合は、当該複数の設定項目を一覧表示すれば好適である。例えば図６では、設定内容が不一致の複数の設定項目名（パッケージ直径など）を、上下に並べて一覧表示している。これにより、オペレータは、どの設定項目の設定内容が一致していないのかを容易に把握できる。
【００７９】
また、本実施形態では、設定内容が不一致の設定項目は、その設定内容も報知するように構成されている。具体的には、本実施形態の場合、図６に示すように、設定内容が不一致の各設定項目名（パッケージ直径など）を上下に並べて、その設定内容を、比較された設定セット（「Ｌｏｔ１」と「Ｌｏｔ２」）それぞれについて表示している。これにより、オペレータは、どの設定項目がどのように異なっているのかを、容易に把握できる。
【００８０】
また、図６の場合、設定内容が不一致の設定項目名のみが表示されている。即ち、設定内容が一致していた設定項目名は、表示されない構成である。従って、オペレータは、設定内容が不一致の設定項目を、素早く把握できる。これにより、設定セット間の相違点を確認したい、というニーズに適切に応えることができる。
【００８１】
なお、以上の説明においては、２つの設定セット（「Ｌｏｔ１」と「Ｌｏｔ２」）を比較するようにしているが、３つ以上の設定セットを相互に比較することも可能である。このように、本実施形態の機台制御装置１１において、複数の設定セット同士を比較することができる。従って、本実施形態の機台制御装置１１は、「設定比較装置」であると言うことができる。
【００８２】
以上で説明したように、本実施形態の機台制御装置（設定比較装置）１１は、取得部３５と、比較部３６と、タッチスクリーン１３と、を備えている。取得部３５は、糸処理に関する複数の設定項目の各設定内容をひとまとめにして名称（ロット名）を付けた設定セットを取得する。比較部３６は、取得部３５が取得した複数の設定セットの設定内容同士を設定項目ごとに比較する。タッチスクリーン１３は、比較部３６が比較した結果を報知する。
【００８３】
以上の構成によれば、比較部３６が各設定内容同士を比較して、タッチスクリーン１３がその結果を報知するので、オペレータは設定内容を比較する負担が軽減され、設定内容の一致・不一致を容易に確認することができる。また、上記の機台制御装置１１において、比較部３６が比較した結果をタッチスクリーン１３の画面に表示しているので、オペレータは、比較結果を視認できる。
【００８４】
また、以上で説明したように、本実施形態の機台制御装置１１において、比較部３６が比較した結果、設定内容が一致していない設定項目があった場合、タッチスクリーン１３は、前記一致していない設定項目を表示している。設定内容が一致していない設定項目が複数あった場合、タッチスクリーン１３は、一致していない複数の設定項目を一覧表示している。
【００８５】
これにより、オペレータは、設定内容が一致していない設定項目を容易に把握できる。
【００８６】
また、以上で説明したように、本実施形態の機台制御装置１１では、タッチスクリーン１３を操作することにより、比較部３６が比較する設定セットを指定することができる（図４の設定セット比較画面）。
【００８７】
このように、オペレータは、タッチスクリーン１３を操作することにより、比較したい設定セットを自由に指定できる。
【００８８】
また、以上で説明したように、本実施形態の自動ワインダ１０は、複数の機台６０を備えている。比較部３６は、異なる機台間で、設定セットの設定内容同士を設定項目ごとに比較する。また、各機台６０は互いに通信可能に構成される。そして、タッチスクリーン１３は、各機台６０に設けられている。
【００８９】
このように、異なる機台間で設定セットを比較することができる。そして、タッチスクリーン１３を機台６０ごとに設けることにより、何れの機台においても比較結果を確認できる。
【００９０】
また、以上で説明したように、本実施形態の機台制御装置（表示装置）１１は、タッチスクリーン１３と、比較部３６と、を備えている。タッチスクリーン１３は、互いに通信可能に構成された複数の機台６０毎に設けられ、糸処理に関する複数の設定項目の各設定内容をひとまとめにした設定セットの前記設定内容を表示可能である。比較部３６は、異なる機台間で、任意の設定セットの設定内容同士が互いに一致しているか否かを設定項目ごとに比較する。そして、タッチスクリーン１３は、比較部３６が比較した結果を表示している。
【００９１】
比較部３６が設定セットの設定内容を比較し、設定内容に不一致がある場合には、タッチスクリーン１３にその結果を表示するので、オペレータは設定内容を比較する負担が軽減され、設定内容の一致・不一致を容易に確認することができる。
【００９２】
また、上記の機台制御装置１１における設定比較方法は以下のとおりである。この設定比較方法は、取得工程と、比較工程と、報知工程と、を含む。取得工程では、糸処理に関する複数の設定項目の各設定内容をひとまとめにして名称を付けた設定セットを取得する。比較工程では、取得工程で取得した複数の設定セットの設定内容同士を設定項目ごとに比較する。前記報知工程では、前記比較工程での比較の結果を報知する。
【００９３】
以上の方法によれば、比較工程で各設定内容同士を比較して、報知工程でその結果を報知するので、オペレータは設定内容を比較する負担が軽減され、設定内容の一致・不一致を容易に確認することができる。
【００９４】
続いて、本願発明の第２実施形態について説明する。なお、以下の説明において、上記第１実施形態と同一又は類似の構成については、要素名に同一の符号を付して説明を省略する場合がある。
【００９５】
この第２実施形態の機台制御装置１１では、比較部３６による比較結果をタッチスクリーン１３の画面に表示する際に、表示される比較結果を、アクセス権限判別部１７が判別したオペレータのアクセス権限に応じて異ならせるように構成されている。
【００９６】
具体的には、本実施形態の制御部１４は、オペレータが設定内容を変更できる権限を有している設定項目についてのみ、比較結果を表示するように構成している。言い換えると、本実施形態の制御部１４は、オペレータが設定内容を変更できない設定項目については、比較結果を表示しない。
【００９７】
例えば、前述のようにオペレータのアクセス権限が「管理者」の場合は、当該オペレータは全ての設定項目を変更できる。従って、オペレータのアクセス権限が「管理者」であると判別されている場合、タッチスクリーン１３は、比較部３６による比較結果を、全て表示する。
【００９８】
一方で前述のように、オペレータのアクセス権限が「保守者」の場合は、当該オペレータは、重要な設定項目を変更することができず、それ以外の設定項目についてのみ変更できる。従って、オペレータのアクセス権限が「保守者」であると判別されている場合、タッチスクリーン１３は、比較部３６による比較結果のうち、重要な設定項目についての比較結果は表示せず、その他の設定項目についてのみ比較結果を表示する。このように、本実施形態のタッチスクリーン１３は、比較部３６による比較結果を、オペレータのアクセス権限に応じて選択的に報知する。
【００９９】
なお、前述のように、オペレータのアクセス権限が「一般作業者」の場合は、当該オペレータは、いかなる設定項目も変更できない。そこで本実施形態では、オペレータのアクセス権限が「一般作業者」であると判別されている場合、機台制御装置１１は、設定セット同士を比較する操作そのものをオペレータに対して許可しないように構成されている。
【０１００】
以上で説明したように、第２実施形態の機台制御装置１１は、タッチスクリーン１３の操作を行うオペレータのアクセス権限を判別するアクセス権限判別部１７を備えている。タッチスクリーン１３は、比較部３６が比較した結果を、オペレータのアクセス権限に応じて選択的に表示する。
【０１０１】
これにより、オペレータのアクセス権限に応じて、当該オペレータに必要な情報のみを報知することができる。
【０１０２】
なお、オペレータのアクセス権限が「一般作業者」の場合、オペレータは設定セット同士を比較する操作そのものが禁止される構成について説明したが、このような構成に限らず、例えば、「一般作業者」のアクセス権限で閲覧可能な設定項目については比較操作が可能な構成としても良い。また、比較する操作自体は「一般作業者」にも許可した上で、当該操作に応じて比較部３６による比較を行った後、結果を表示する代わりに「結果を閲覧する権限がありません」等のメッセージを表示しても良い。
【０１０３】
続いて、本願発明の第３実施形態について説明する。なお、以下の説明において、上記実施形態と同一又は類似の構成については、要素名に同一の符号を付して説明を省略する場合がある。
【０１０４】
まず、この第３実施形態の前提について簡単に説明する。
【０１０５】
前述のように、機台制御装置１１は、外部接続部１９を介して他の機台の機台制御装置１１と通信を行うことにより、当該他の機台の記憶部１８に記憶されている設定セットを、コピーして自身の（ローカルの）記憶部１８に記憶できる。このとき、ローカルにコピーした設定セットのロット名は、コピー元の（オリジナルの）設定セットのロット名と同一のままにしておくことが多い。例えば、他の機台の記憶部１８に記憶されている「Ｌｏｔ１」というロット名の設定セットをローカルの記憶部１８にコピーした場合、当該ローカルの設定セットのロット名も「Ｌｏｔ１」とする。
【０１０６】
このように、他の機台からコピーしてきた設定セットを、コピー元の設定セットと同一のロット名としておくことにより、両者がもともと同一の内容であったことが分かり易くなる。このため、オペレータとしては、異なる機台に同一のロット名の設定セットが存在していた場合、各設定セットの設定内容は同一になっていることを期待する。しかしながら、他の機台からコピーしてきた設定セットの設定内容は、オペレータによって変更される可能性があるので、実際には、同一のロット名が付された設定セットが同一の設定内容であるとは限らない。このため、他の機台と同一の設定内容のつもりが、実際には設定内容が異なるということがあり得る。
【０１０７】
以上の事情に鑑み、この第３実施形態では、異なる機台間で、同一のロット名が付された複数の設定セット同士を積極的に比較するように構成されている。
【０１０８】
具体的には以下のとおりである。機台制御装置１１の制御部１４は、外部接続部１９を介して他の各機台の機台制御装置１１と通信を行うことにより、当該他の機台の記憶部１８に、自身の（ローカルの）記憶部１８に記憶されている設定セットと同一のロット名が付された設定セットが存在しないか検索する。なお、当該検索は、オペレータの操作を契機として実行されても良いし、定期的又は不定期に自動的に実行されても良い。
【０１０９】
ローカルの設定セットと同一のロット名が付された設定セットが他の機台で見つからなかった場合、制御部１４は、適宜のメッセージを表示するなどして処理を終了する。
【０１１０】
同一のロット名が付された設定セットが見つかった場合、取得部３５は、当該ロット名の設定セットを、自身の（ローカルの）記憶部１８と、他の機台の記憶部１８と、からそれぞれ取得する。そして、比較部３６は、取得部３５が取得した同一のロット名の設定セットの設定内容同士を設定項目ごとに比較し、その比較結果をタッチスクリーン１３に表示する。
【０１１１】
以上で説明したように、この第３実施形態の機台制御装置１１において、比較部３６は、異なる機台間で、同一のロット名が付された複数の設定セットの設定内容同士を、設定内容ごとに積極的に比較するように構成されている。即ち、第１実施形態では、オペレータが指定した設定セットを比較部３６で比較していたが、第３実施形態では、比較する設定セットを機台制御装置１１（設定比較装置）が自動的に（オペレータの操作によらずに）抽出し、比較部３６による比較が行われるように構成されている。
【０１１２】
このように、異なる機台間で、同一のロット名が付いた複数の設定セット同士を比較するので、同一のロット名が付いているにもかかわらず設定内容が異なる場合を確実に検出できる。これにより、機台間で設定内容が異なっていることにオペレータが気付かずに意図とは異なるパッケージが作成されてしまうことを防止できる。
【０１１３】
続いて、本願発明の第４実施形態について説明する。なお、以下の説明において、上記実施形態と同一又は類似の構成については、要素名に同一の符号を付して説明を省略する場合がある。
【０１１４】
上記第１実施形態のＬＡＮ２２は統括制御装置（ホストコンピュータ）を持たない構成としていたが、この第４実施形態では、図７に示すように、ＬＡＮ２２に統括制御装置（ホストコンピュータ）４５を設けた。この統括制御装置４５は、ＬＡＮ２２を介して、各機台６０の機台制御装置１１と通信可能に構成されている。
【０１１５】
統括制御装置４５は、各機台６０の機台制御装置１１を統括する装置であり、この意味で、全ての機台制御装置１１の上位にある。オペレータは、統括制御装置４５を適宜操作することにより、各機台６０を一括して制御及び管理することができる。
【０１１６】
統括制御装置４５は、図略の制御部を備えている。本実施形態の統括制御装置４５の制御部は、上記第１実施形態における取得部３５及び比較部３６と同様の機能を発揮できるように構成されている。即ち、統括制御装置４５の制御部は、任意の機台６０の機台制御装置１１と通信することにより、当該機台の記憶部１８に記憶されている設定セットを取得する取得部としての機能を有している。また、統括制御装置４５の制御部は、取得した複数の設定セットの設定内容同士を設定項目ごとに比較する比較部としての機能を有している。
【０１１７】
また、統括制御装置４５は、タッチスクリーン４６を備えている。統括制御装置４５のタッチスクリーン４６は、機台制御装置１１のタッチスクリーン１３と同様に、操作入力部としての機能と、表示部としての機能を兼ねている。即ち、オペレータは、統括制御装置４５のタッチスクリーン４６を適宜操作することにより、比較される設定セットを指定することができる。また、指定された設定セットを比較した結果は、統括制御装置４５のタッチスクリーン４６に表示される。
【０１１８】
以上のように、本実施形態の統括制御装置４５は、第１実施形態における機台制御装置１１と同様に、設定セット同士を比較して、その比較結果を報知する機能を有する。従って、本実施形態において、統括制御装置４５は「設定比較装置」であると言える。また、統括制御装置４５のタッチスクリーン４６は、当該統括制御装置４５において設定セット同士を比較した結果を報知するものであるから、「報知部」であると言うことができる。
【０１１９】
以上で説明したように、第４実施形態の自動ワインダ１０は、複数の機台６０と、各機台６０と通信可能に構成された統括制御装置４５と、を備えている。そして、設定セット同士を比較した結果は、統括制御装置４５に設けられたタッチスクリーン４６によって報知される。
【０１２０】
これにより、比較結果を統括制御装置４５において確認できる。なお、統括制御装置４５は、タッチスクリーン４６を備える構成に限らず、タッチスクリーン４６に替えて、単なるディスプレイ（表示部）とキーボードやマウス等の操作入力部とを備える構成（いわゆるパーソナルコンピュータ）であっても良い。この場合、比較結果は、ディスプレイに表示されることが好ましい。
【０１２１】
以上に本発明の好適な実施の形態を説明したが、本発明の構成は上記実施形態に限定されず、上記の構成は、本発明の趣旨を逸脱しない範囲で例えば以下のように変更することができる。
【０１２２】
上記実施形態では、図４に示すような設定セット比較画面において、オペレータは一覧表示された設定セットのロット名の中から比較したいロット名を選択するように構成したが、ロット名を直接入力するような構成であっても良い。
【０１２３】
上記実施形態では、アクセス権限として、管理者、保守者、一般作業者の３つが用意される構成としたが、アクセス権限の種類・内容・数はこれに限らず、様々に設定可能である。例えば、管理者よりも上位の「サービス員」というメーカーの作業者用のアクセス権限を更に用意しても良い。
【０１２４】
また、本願発明の自動ワインダの構成は、図１及び図２に示す構成に限らない。例えば給糸ボビン供給装置に関し、図２に示す公知のトレイ式の構成に限らず、公知のマガジン式の構成であっても良い。また、巻取部４１の構成に関し、図２に示すような、パッケージに接触して従動回転する接触ローラ（溝なしローラ）と、当該接触ローラとは独立した綾振り機構（トラバースガイド）とを備える構成に替えて、綾振り溝付きドラムを備える構成としても良い。綾振り溝付きドラムは、綾振溝によって綾振しながらパッケージに接触してパッケージを従動回転させるものである。
【０１２５】
本願発明の構成は、自動ワインダに限らず、他の種類の繊維機械に適用することができる。自動ワインダ以外の繊維機械の一例として、紡績機を挙げることができる。紡績機の構成は公知であるから詳細な説明は省略するが、この紡績機は、複数の紡績ユニットを並べて有した機台を、少なくとも１つ有する。この機台は、各紡績ユニットの動作を制御する機台制御装置を備える。この機台制御装置には、糸処理に関する複数の設定項目の設定内容をひとまとめにして、名称（ロット名）を付けて記憶させることが可能である。従って、このような紡績機において、設定セットを取得する取得部と、取得部が取得した複数の設定セット同士を比較する比較部と、比較結果を報知する報知部と、を備えた比較設定装置を設けることが可能である。そして、これにより、上記実施形態と同等の効果を得ることができる。なお、紡績機に関して、糸処理に関する設定項目の一例を挙げると、パッケージ定長、パッケージ重量などである。
【０１２６】
上記実施形態では、比較部３６で比較した結果、設定内容が不一致だった設定項目名のみ表示している（図５参照）。即ち、設定内容が一致していた設定項目名は、表示しない構成である。しかしながらこれに限らず、例えば、設定セットの全ての設定項目を一覧表示するとともに、不一致の設定項目だけを強調表示するようにしても良い。又は、不一致の設定項目を一覧表示のリストの上位に表示するようにしても良い。要は、設定内容が一致していない設定項目を、何らかのかたちでオペレータに報知できれば良い。
【０１２７】
もっとも、本願発明は、設定セット同士の比較を自動的に行い、その比較結果を報知できることを最大の特徴としている。従って、不一致だった設定項目を報知する構成は必須ではなく、単に、比較した設定セット同士が一致していたか否かを報知するだけであっても良い。
【０１２８】
上記実施形態では、比較部３６による比較結果を報知する報知部の一例として、比較結果をタッチスクリーンの画面に表示する構成を説明した。しかしながら、報知部の構成はこれに限定されず、比較部３６による比較結果を、何らかの手段によってオペレータに報知し得るものであれば良い。例えば、報知部は、比較部３６による比較結果を、音声によって報知する音声報知部を備えていても良い。この場合、音声報知部は、例えば「一致しない設定項目が見つかりました」のように、比較結果を音声によって報知することが考えられる。もっとも、例えば、一致しない設定項目が見つかったときにブザー音を鳴らすだけでも良い。これにより、オペレータは、比較結果を音声で確認できる。また、報知部は、比較部３６による比較結果をファイルに出力する構成や、他の端末に転送（例えばメール送信等）する構成であっても良い。ファイルに出力する構成は、例えば、機台制御装置に設けたＵＳＢポートにＵＳＢメモリを接続し、ＵＳＢメモリに比較結果のデータファイルを書き込むようにすると良い。他の端末に転送する構成は、例えば、機台制御装置に自動メール送信機能を付加し、比較部３６が比較したら自動的に比較結果を他の端末（例えば遠隔地にあるＰＣ等）にメール送信するようにすると良い。このような構成であれば、自動ワインダ等の繊維機械が置かれた現場に加えて、現場から遠く離れた場所においても、比較結果を確認するのに便利である。
【０１２９】
上記実施形態では、異なる機台間で設定セットの比較を行うように説明したが、必ずしもこれに限らず、１つの機台６０の中で設定セットの比較を行うこともできる。即ち、機台制御装置１１の比較部３６は、自身の（ローカルの）記憶部１８に記憶されている複数の設定セット同士を比較しても良い。なお、本実施形態の繊維機械においては、１つの機台６０の中に、同一のロット名を有する設定セットが複数存在することが無いように構成されている。従って、１つの機台６０の中で、同一のロット名を有する設定セット同士を比較することはできない。このため、１つの機台の中で設定セットの比較を行う場合、比較部３６は、異なるロット名が付された複数の設定セットの設定内容同士を設定項目ごとに比較することになる。
【０１３０】
なお、上記実施形態では、繊維機械が複数の機台６０を備えていることを前提としているが、これに限らず、少なくとも１つの機台６０があれば本願発明を実施することが可能である。即ち、繊維機械が少なくとも１つの機台を備えていれば、比較部３６は、その１つの機台６０の中で、異なる名称が付された複数の設定セットの設定内容同士を設定項目ごとに比較することができる。このように、同一の機台において、設定セット同士を比較できる。
【符号の説明】
【０１３１】
１０  自動ワインダ（繊維機械）
１１  機台制御装置（設定比較装置）
１３  タッチスクリーン（報知部）
３５  取得部
３６  比較部
６０  機台
【図１】
2015078454.tif 000003
【図２】
2015078454.tif 000004
【図３】
2015078454.tif 000005
【図４】
2015078454.tif 000006
【図５】
2015078454.tif 000007
【図６】
2015078454.tif 000008
【図７】
2015078454.tif 000009